(57)【要約】本発明の実施例はセルの発見及び測定方法、基地局及びユーザ装置を提供する。セルの発見及び測定方法は、セル基地局が、ユーザ装置にセルを発見させるための発見信号を送信し、ユーザ装置にセル基地局との同期を実現させるステップと、セル基地局が発見信号を送信した後に測定信号を送信するステップと、を含む。本発明の実施例によれば、発見信号の１回の送信時間をできるだけ短くし、２つの発見信号の送信の間の間隔をできるだけ長くし、必要な時にのみ測定信号を送信することで、セルの省エネ化に繋がり、ユーザ装置が測定信号に基づいてＲＲＭ測定を正確に行うことができるため、ＲＲＭ測定の精度を向上できる。【選択図】図１
2016529803.tif 000002
【特許請求の範囲】
【請求項１】
セルの発見及び測定方法であって、
セル基地局が、ユーザ装置にセルを発見させるための発見信号を送信し、前記ユーザ装置に前記セル基地局との同期を実現させるステップと、
前記セル基地局が前記発見信号を送信した後に測定信号を送信するステップと、を含む、方法。
【請求項２】
前記セルは、独立した物理セル識別子を有する独立セル、又はセル群内の独立した物理セル識別子を有するセルであり、
前記発見信号は、少なくともＰＳＳ（Ｐｒｉｍａｒｙ  Ｓｙｎｃｈｒｏｎｉｚａｔｉｏｎ  Ｓｉｇｎａｌ）及びＳＳＳ（Ｓｅｃｏｎｄａｒｙ  Ｓｙｎｃｈｒｏｎｉｚａｔｉｏｎ  Ｓｉｇｎａｌ）を含む、請求項１に記載の方法。
【請求項３】
前記セルは、独立した物理セル識別子を有する独立セル、又はセル群内の独立した物理セル識別子を有するセルであり、
前記発見信号は、ＣＲＳ（Ｃｏｍｍｏｎ  Ｒｅｆｅｒｅｎｃｅ  Ｓｉｇｎａｌ）、ＣＳＩＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、ＰＲＳ（Ｐｏｓｉｔｉｏｎｉｎｇ  Ｒｅｆｅｒｅｎｃｅ  Ｓｉｇｎａｌ）及びＲｅｄｕｃｅｄ  ＣＲＳ（Ｒｅｄｕｃｅｄ  Ｃｏｍｍｏｎ  Ｒｅｆｅｒｅｎｃｅ  Ｓｉｇｎａｌ）の１つ又は組み合わせを含む、請求項１に記載の方法。
【請求項４】
前記ＰＳＳ及び前記ＳＳＳは、０番目のサブフレーム又は５番目のサブフレームに設定され、
前記セル基地局は、前記ＰＳＳ及び前記ＳＳＳを含む前記０番目のサブフレーム及び／又は前記５番目のサブフレームを送信する、請求項２に記載の方法。
【請求項５】
前記ＰＳＳは１番目のサブフレーム又は６番目のサブフレームに設定され、前記ＳＳＳは０番目のサブフレーム又は５番目のサブフレームに設定され、
前記セル基地局は、前記ＰＳＳ及び前記ＳＳＳを含む２つの隣接するサブフレーム又は２つの隣接するスロットを送信する、請求項２に記載の方法。
【請求項６】
前記セル基地局が発見信号を送信するステップは、
前記セル基地局が１つ若しくは２つのサブフレーム、又は２つの隣接するスロットを用いて前記ＰＳＳ又は前記ＳＳＳを送信するステップと、
前記ＰＳＳ及び前記ＳＳＳの時間周波数リソースにおいて他の発見信号を送信するステップと、を含む、請求項２に記載の方法。
【請求項７】
前記セル基地局が発見信号を送信するステップは、
前記セル基地局が１つ若しくは２つのサブフレーム、又は２つの隣接するスロットを用いて前記発見信号を送信するステップ、を含む、請求項３に記載の方法。
【請求項８】
前記セルは、セル群内の独立した物理セル識別子を有しないセルであり、
前記発見信号は、前記セル群の独立した物理セル識別子に対応する１段目の発見信号、及び前記セル群内のセル識別子に対応する２段目の発見信号を含む、請求項１に記載の方法。
【請求項９】
前記セルは、セル群内の独立した物理セル識別子を有しないセルであり、前記発見信号は、前記セル群内のセル識別子に対応する２段目の発見信号を含み、
前記方法は、
前記セル群内の他のセルの基地局が、前記セル群の独立した物理セル識別子に対応する１段目の発見信号を送信するステップ、をさらに含む、請求項１に記載の方法。
【請求項１０】
前記１段目の発見信号は、ＰＳＳ及びＳＳＳを含み、
前記２段目の発見信号は、ＣＲＳ、ＣＳＩＲＳ、ＰＲＳ及びＲｅｄｕｃｅｄ  ＣＲＳの１つ又は組み合わせを含む、請求項８又は９に記載の方法。
【請求項１１】
前記セル基地局が発見信号を送信するステップは、
前記セル基地局が、１つ若しくは２つのサブフレーム、又は２つの隣接するスロットを用いて前記第１の発見信号を送信し、前記第１の発見信号の時間周波数リソースにおいて前記第２の発見信号を送信するステップ、を含む、請求項８に記載の方法。
【請求項１２】
前記セル基地局が前記発見信号の送信電力を増加させるステップ、及び／又は
前記セル基地局が前記発見信号を送信する時間領域リソースにおいて、他の基地局が信号を伝送することを回避し、或いは前記他の基地局が信号を伝送する電力を減少させるように、前記セル基地局と前記他の基地局とが協調するステップ、及び／又は
異なるセルの前記発見信号が異なる時点で送信されるように、前記セル基地局と他の基地局とが協調するステップ、をさらに含む、請求項１に記載の方法。
【請求項１３】
前記測定信号は、前記セルが前記ユーザ装置にサービスを提供する時の送信電力で送信される、請求項１に記載の方法。
【請求項１４】
前記測定信号の１回の送信時間長は、前記発見信号の１回の送信時間長以上である、請求項１に記載の方法。
【請求項１５】
前記セル基地局は、前記発見信号を送信した後、所定時間後に前記測定信号を送信する、請求項１に記載の方法。
【請求項１６】
前記セル基地局は、前記発見信号を送信した後、他のセルの要求又は制御装置の指示を受信した場合に前記測定信号を送信する、請求項１に記載の方法。
【請求項１７】
前記測定信号は、ＣＲＳ、ＣＳＩＲＳ、ＰＲＳ及びＲｅｄｕｃｅｄ  ＣＲＳの１つ又は組み合わせを含む、請求項１に記載の方法。
【請求項１８】
前記測定信号はＣＳＩＲＳ又はＲｅｄｕｃｅｄ  ＣＲＳであり、前記測定信号は連続する複数のサブフレームにおいて送信される、請求項１に記載の方法。
【請求項１９】
前記セル基地局が、制御装置の指示又は他の基地局により送信されたアクティブ化メッセージを受信した後に、前記セルを休止モードからアクティブモードに切り替えるステップ、をさらに含む、請求項１に記載の方法。
【請求項２０】
セルの発見及び測定方法であって、
サービング基地局が、ユーザ装置により報告されたセルを発見するための発見情報を受信するステップ、を含む、方法。
【請求項２１】
前記サービング基地局が、前記ユーザ装置により送信された前記セルを測定するための測定報告を受信するステップ、をさらに含む、請求項２０に記載の方法。
【請求項２２】
前記サービング基地局が前記ユーザ装置を構成して前記セルを発見するステップ、をさらに含む、請求項２０に記載の方法。
【請求項２３】
前記サービング基地局が前記セルの基地局又は制御装置に通知メッセージを送信して、前記セルが測定信号を送信するように通知するステップ、をさらに含む、請求項２０に記載の方法。
【請求項２４】
前記通知メッセージには、前記測定信号の送信時間を構成するための情報が含まれ、或いは、
前記サービング基地局と前記セルの基地局又は制御装置とは、前記測定信号の送信時間を協商する、請求項２２に記載の方法。
【請求項２５】
前記サービング基地局が、前記セルにより送信された前記測定信号の測定情報を取得するステップと、
前記ユーザ装置が前記セルにより送信された前記測定信号を測定するように、前記測定情報に基づいて前記ユーザ装置を構成するステップと、をさらに含む、請求項２０に記載の方法。
【請求項２６】
前記サービング基地局が前記測定報告を参照して、ユーザ装置を前記セルにハンドオーバする必要があるか否かを判断するステップと、
ハンドオーバすると判断された場合に、前記ユーザ装置を前記セルにハンドオーバするステップと、をさらに含む、請求項２１に記載の方法。
【請求項２７】
前記サービング基地局が前記セルの基地局又は制御装置にアクティブ化メッセージを送信して、前記セルをアクティブ化するステップ、をさらに含む、請求項２０に記載の方法。
【請求項２８】
セルの発見及び測定方法であって、
ユーザ装置が、セル基地局により送信されたセルを発見するための発見信号を受信し、前記セル基地局との同期を実現するステップと、
前記ユーザ装置が、前記セルを発見するための発見情報をサービング基地局に報告するステップと、
前記セル基地局により送信された測定信号を受信し、前記測定信号に基づいて前記セルを測定するステップと、を含む、方法。
【請求項２９】
前記ユーザ装置が、前記セルを測定するための測定報告を前記サービング基地局に送信するステップ、をさらに含む、請求項２８に記載の方法。
【請求項３０】
基地局であって、
ユーザ装置にセルを発見させるための発見信号を送信し、前記ユーザ装置に前記基地局との同期を実現させる発見信号送信手段と、
前記発見信号を送信した後に測定信号を送信する測定信号送信手段と、を含む、基地局。
【請求項３１】
前記セルは、独立した物理セル識別子を有する独立セル、又はセル群内の独立した物理セル識別子を有するセルであり、
前記発見信号送信手段は、１つ若しくは２つのサブフレーム、又は２つの隣接するスロットを用いて前記発見信号を送信する、請求項３０に記載の基地局。
【請求項３２】
前記セルは、セル群内の独立した物理セル識別子を有しないセルであり、
前記発見信号は、前記セル群内のセル識別子に対応する２段目の発見信号を含み、或いは、前記セル群の独立した物理セル識別子に対応する１段目の発見信号及び前記セル群内のセル識別子に対応する２段目の発見信号を含む、請求項３０に記載の基地局。
【請求項３３】
制御装置の指示又は他の基地局により送信されたアクティブ化メッセージを受信した後に、前記セルを休止モードからアクティブモードに切り替える状態切替手段、をさらに含む、請求項３０に記載の基地局。
【請求項３４】
基地局であって、
ユーザ装置により報告されたセルを発見するための発見情報を受信する発見情報受信手段、を含む、基地局。
【請求項３５】
前記ユーザ装置により送信された前記セルを測定するための測定報告を受信する測定報告受信手段、をさらに含む、請求項３４に記載の基地局。
【請求項３６】
前記ユーザ装置を構成して前記セルを発見する発見構成手段、をさらに含む、請求項３４に記載の基地局。
【請求項３７】
前記セルの基地局又は制御装置に通知メッセージを送信して、前記セルが測定信号を送信するように通知する通知メッセージ送信手段、をさらに含む、請求項３４に記載の基地局。
【請求項３８】
前記セルにより送信された前記測定信号の測定情報を取得する測定情報取得手段と、
前記ユーザ装置が前記セルにより送信された前記測定信号を測定するように、前記測定情報に基づいて前記ユーザ装置を構成する測定構成手段と、をさらに含む、請求項３４に記載の基地局。
【請求項３９】
前記セルの基地局又は制御装置にアクティブ化メッセージを送信して、前記セルをアクティブ化するアクティブ化メッセージ送信手段、をさらに含む、請求項３４に記載の基地局。
【請求項４０】
ユーザ装置であって、
セル基地局により送信されたセルを発見するための発見信号を受信し、前記セル基地局との同期を実現する発見信号受信手段と、
前記セルを発見するための発見情報をサービング基地局に報告する発見情報報告手段と、
前記セル基地局により送信された測定信号を受信し、前記測定信号に基づいて前記セルを測定する測定信号受信手段と、を含む、ユーザ装置。
【請求項４１】
前記セルを測定するための測定報告を前記サービング基地局に送信する測定報告送信手段、をさらに含む、請求項４０に記載のユーザ装置。
【請求項４２】
通信システムであって、
ユーザ装置にセルを発見させるための発見信号を送信し、前記ユーザ装置にセル基地局との同期を実現させ、前記発見信号を送信した後に測定信号を送信するセル基地局と、
ユーザ装置により報告された前記セルを発見するための発見情報を受信するサービング基地局と、
前記セル基地局により送信された前記セルを発見するための発見信号を受信し、前記セル基地局との同期を実現し、前記セルを発見するための発見情報を前記サービング基地局に報告し、前記セル基地局により送信された測定信号を受信し、前記測定信号に基づいて前記セルを測定するユーザ装置と、を含む、通信システム。
【請求項４３】
基地局においてプログラムを実行する際に、コンピュータに、請求項１乃至２７のいずれかに記載のセルの発見及び測定方法を前記基地局において実行させる、コンピュータ読み取り可能なプログラム。
【請求項４４】
コンピュータに、請求項１乃至２７のいずれかに記載のセルの発見及び測定方法を基地局において実行させるためのコンピュータ読み取り可能なプログラムを記憶する、記憶媒体。
【請求項４５】
ユーザ装置においてプログラムを実行する際に、コンピュータに、請求項２８又は２９に記載のセルの発見及び測定方法を前記ユーザ装置において実行させる、コンピュータ読み取り可能なプログラム。
【請求項４６】
コンピュータに、請求項２８又は２９に記載のセルの発見及び測定方法をユーザ装置において実行させるためのコンピュータ読み取り可能なプログラムを記憶する、記憶媒体。
【発明の詳細な説明】
【技術分野】
【０００１】
本発明は、通信分野に関し、特にセルの発見及び測定方法、基地局及びユーザ装置に関する。
【背景技術】
【０００２】
グリーン通信は、新世代の通信システムにより求められる目標の１つである。従って、基地局がアイドル状態にある時の省エネ化も３ＧＰＰ組織によるＬＴＥ標準検討中の重要な議題の１つである。研究によれば、マクロセル（Ｍａｃｒｏ  Ｃｅｌｌ）のエネルギーオーバヘッドは主に電力増幅器（ＰＡ：Ｐｏｗｅｒ  Ａｍｐｌｉｆｉｅｒ）モジュールで消費され、セルのカバレッジ面積が狭い、即ちセル基地局機器の送信電力が低下するほど、ＰＡモジュールの電力消費量の割合は低下し、ベースバンド（ＢＢ：Ｂａｓｅｂａｎｄ）モジュールの電力消費量の割合は徐々に上昇する。
【０００３】
例えば、マクロセルのＰＡモジュールの電力消費量の割合は約５７％となり、ピコセル（Ｐｉｃｏ  ｃｅｌｌ）及びフェムトセル（Ｆｅｍｔｏ  ｃｅｌｌ）のＰＡモジュールの電力消費量の割合は２６％及び２２％にそれぞれ低下した。それに応じて、ＢＢモジュールの電力消費量の割合は、マクロセルの１３％からピコセルの４１％及びフェムトセルの４７％に上昇した。
【０００４】
従来のＬＴＥ標準の議論では、マクロセルの省エネ化は主にアイドルの時にＰＡモジュールをオフする方法を採用する。しかし、現在に注目されているＳｍａｌｌ  Ｃｅｌｌ（例えば、Ｐｉｃｏ  Ｃｅｌｌ及び／又はＦｅｍｔｏ  Ｃｅｌｌ等）では、ＰＡモジュールをオフすることのみによる効果はかなり限定されている。このため、Ｓｍａｌｌ  Ｃｅｌｌの省エネ化の方法は、現在ＬＴＥ  Ｒｅｌｅａｓｅ  １２の議論における非常に注目されている話題になった。
【０００５】
関連する議論では、アイドル時のＳｍａｌｌ  Ｃｅｌｌを休止モード（Ｄｏｒｍａｎｃｙ  Ｍｏｄｅ）に移行させる方法はＳｍａｌｌ  Ｃｅｌｌの省エネ化の有効な方法の１つとなる。休止モードに移行したセルは、休止セル（Ｄｏｒｍａｎｃｙ  Ｃｅｌｌ）とも称される。休止状態にある休止セルについて、該セルの送信動作をできるだけ低減するのは、省エネ化を実現する有効な方法の１つである。従って、休止セルの１回の送信信号の時間をできるだけ短くし、２回の送信の間の間隔をできるだけ長くする必要がある。
【０００６】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００７】
しかし、発明者の発見によると、現在では、ユーザ装置（ＵＥ）のセルに対する発見は、無線リソース管理（ＲＲＭ：Ｒａｄｉｏ  Ｒｅｓｏｕｒｃｅ  Ｍａｎａｇｅｍｅｎｔ）の測定と共に行われる。ユーザ装置がセルを発見した後に、該セルを自発的に測定し、必要な場合（例えば、測定結果がＵＥ側の構成された測定イベントをトリガした場合）に測定結果をサービングセルの基地局に報告する。
【０００８】
休止セルでは、１回の発見信号送信の時間をできるだけ短くし、２回の送信の間の間隔をできるだけ長くする必要がある。しかし、ＲＲＭ測定は主にＵＥでのセル受信信号の電力及び干渉レベルを測定し、セルのハンドオーバ等の決定のために参照情報を提供すると考えられる。よって、時間長の短い送信信号に対して１回の測定を行い、２回の信号送信の間の間隔が長くすると、受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）及び参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）の測定値と真の値との差が大き過ぎることをもたらす可能性がある。
【０００９】
これは、非常に短い期間内に送信された１回送信の測定信号を用いて測定すると、走査の時間が短すぎて、該セルの受信信号の受ける干渉のレベルを正確に反映できないからである。一方、複数回で送信された測定信号の間隔が大き過ぎて、複数回の測定結果と真の値との間の差が大きく、無理やり合計すると測定値と真の値との間に大きな差が生じてしまう。従って、現在、従来技術では、Ｓｍａｌｌ  Ｃｅｌｌ等のシナリオでの休止セルについて、省エネ化と正確なＲＲＭ測定とを両立させることができない。
【００１０】
本発明の実施例は、セルの省エネ化と正確なＲＲＭ測定を両立させることができるセルの発見及び測定方法、基地局及びユーザ装置を提供することを目的とする。
【課題を解決するための手段】
【００１１】
本発明の実施例の一の態様では、セルの発見及び測定方法であって、セル基地局が、ユーザ装置にセルを発見させるための発見信号を送信し、前記ユーザ装置に前記セル基地局との同期を実現させるステップと、前記セル基地局が前記発見信号を送信した後に測定信号を送信するステップと、を含む、方法を提供する。
【００１２】
本発明の実施例の他の態様では、セルの発見及び測定方法であって、サービング基地局が、ユーザ装置により報告されたセルを発見するための発見情報を受信するステップ、を含む、方法を提供する。
【００１３】
本発明の実施例の他の態様では、セルの発見及び測定方法であって、ユーザ装置が、セル基地局により送信されたセルを発見するための発見信号を受信し、前記セル基地局との同期を実現するステップと、前記ユーザ装置が、前記セルを発見するための発見情報をサービング基地局に報告するステップと、前記セル基地局により送信された測定信号を受信し、前記測定信号に基づいて前記セルを測定するステップと、を含む、方法を提供する。
【００１４】
本発明の実施例の他の態様では、基地局であって、ユーザ装置にセルを発見させるための発見信号を送信し、前記ユーザ装置に前記基地局との同期を実現させる発見信号送信手段と、前記発見信号を送信した後に測定信号を送信する測定信号送信手段と、を含む、基地局を提供する。
【００１５】
本発明の実施例の他の態様では、基地局であって、ユーザ装置により報告されたセルを発見するための発見情報を受信する発見情報受信手段、を含む、基地局を提供する。
【００１６】
本発明の実施例の他の態様では、ユーザ装置であって、セル基地局により送信されたセルを発見するための発見信号を受信し、前記セル基地局との同期を実現する発見信号受信手段と、前記セルを発見するための発見情報をサービング基地局に報告する発見情報報告手段と、前記セル基地局により送信された測定信号を受信し、前記測定信号に基づいて前記セルを測定する測定信号受信手段と、を含む、ユーザ装置を提供する。
【００１７】
本発明の実施例の他の態様では、通信システムであって、ユーザ装置にセルを発見させるための発見信号を送信し、前記ユーザ装置にセル基地局との同期を実現させ、前記発見信号を送信した後に測定信号を送信するセル基地局と、ユーザ装置により報告された前記セルを発見するための発見情報を受信するサービング基地局と、前記セル基地局により送信された前記セルを発見するための発見信号を受信し、前記セル基地局との同期を実現し、前記セルを発見するための発見情報を前記サービング基地局に報告し、前記セル基地局により送信された測定信号を受信し、前記測定信号に基づいて前記セルを測定するユーザ装置と、を含む、通信システムを提供する。
【００１８】
本発明の実施例の他の態様では、基地局においてプログラムを実行する際に、コンピュータに、上記のセルの発見及び測定方法を前記基地局において実行させる、コンピュータ読み取り可能なプログラムを提供する。
【００１９】
本発明の実施例の他の態様では、コンピュータに、上記のセルの発見及び測定方法を基地局において実行させるためのコンピュータ読み取り可能なプログラムを記憶する、記憶媒体を提供する。
【００２０】
本発明の実施例の他の態様では、ユーザ装置においてプログラムを実行する際に、コンピュータに、上記のセルの発見及び測定方法を前記ユーザ装置において実行させる、コンピュータ読み取り可能なプログラムを提供する。
【００２１】
本発明の実施例の他の態様では、コンピュータに、上記のセルの発見及び測定方法をユーザ装置において実行させるためのコンピュータ読み取り可能なプログラムを記憶する、記憶媒体を提供する。
【００２２】
本発明の実施例の有益な効果としては、基地局が発見信号及び測定信号をそれぞれ送信することで、発見信号の１回の送信時間をできるだけ短くし、２つの発見信号の送信の間の間隔をできるだけ長くし、必要な時にのみ測定信号を送信することができるため、セルの省エネ化に繋がり、ユーザ装置が測定信号に基づいてＲＲＭ測定を正確に行うことができるため、ＲＲＭ測定の精度を向上できる。
【００２３】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２４】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２５】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２６】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００２７】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例１のセルの発見及び測定方法の１つのフローチャートである。
【図２】本発明の実施例１のセルの発見及び測定方法のもう１つのフローチャートである。
【図３】本発明の実施例２のセルの発見及び測定方法の１つのフローチャートである。
【図４】本発明の実施例２のセルの発見及び測定方法のもう１つのフローチャートである。
【図５】本発明の実施例２のセルの発見及び測定方法のもう１つのフローチャートである。
【図６】本発明の実施例３のセルの発見及び測定方法の１つのフローチャートである。
【図７】本発明の実施例３のセルの発見及び測定方法のもう１つのフローチャートである。
【図８】本発明の実施例４の基地局の１つの構成を示す図である。
【図９】本発明の実施例４の基地局のもう１つの構成を示す図である。
【図１０】本発明の実施例５の基地局の１つの構成を示す図である。
【図１１】本発明の実施例５の基地局のもう１つの構成を示す図である。
【図１２】本発明の実施例６のユーザ装置の１つの構成を示す図である。
【図１３】本発明の実施例７の通信システムの１つの構成を示す図である。
【発明を実施するための形態】
【００２８】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２９】
＜実施例１＞
本発明の実施例はセルの発見及び測定方法を提供し、セルの基地局側に適用する。図１は本発明の実施例のセルの発見及び測定方法の１つのフローチャートである。図１に示すように、該方法は下記のステップを含む。
【００３０】
ステップ１０１：セル基地局は、ＵＥにセルを発見させるための発見信号を送信し、ＵＥにセル基地局との同期を実現させる。
【００３１】
ステップ１０２：セル基地局は、発見信号を送信した後に測定信号を送信する。
【００３２】
本実施例では、該セルは、休止セルであってもよく、休止状態にあって、一時的にＵＥのためにサービスを提供しなくてもよい。該セル基地局は、休止セルの基地局であってもよく、該ＵＥはサービング基地局によりサービングされてもよい。なお、本発明はこれに限定されず、例えば、該セルは休止セルではなく、他のＵＥのためにサービスを提供しているＳｍａｌｌ  Ｃｅｌｌ等であってもよい。以下は、該セルが休止セルであることを一例として、本発明を詳細に説明する。
【００３３】
本実施例では、発見（Ｄｉｓｃｏｖｅｒｙ）は２つの意味を含み、１つ目は、ＵＥが１つ又は複数のセル（例えば休止モードにあるセル）の送信信号を検出（Ｄｅｔｅｃｔ）できることであり、２つ目は、該１つ又は複数の送信信号のソースセルのセルＩＤを識別（Ｉｄｅｎｔｉｆｙ）できることである。
【００３４】
ここで、セルＩＤは、一義的に識別可能なセルの識別子を指す。例えば、セル物理ＩＤであってもよいし、セル群（Ｃｅｌｌ  Ｇｒｏｕｐ又はＣｅｌｌ  Ｃｌｕｓｔｅｒ）のＩＤ及び郡内のＣｅｌｌの仮想ＩＤであってもよい。ＵＥにより発見されるために、セルは発見信号（Ｄｉｓｃｏｖｅｒｙ  Ｓｉｇｎａｌ、Ｄｅｔｅｃｔｉｏｎ  Ｓｉｇｎａｌ、Ｉｄｅｎｔｉｆｉｃａｔｉｏｎ  Ｓｉｇｎａｌ）を送信してもよい。該発見信号は、セルＩＤに一致する一義的な特徴を有し、即ちＵＥが該発見信号に基づいて該セルＩＤを一義的に決定できる。発見の具体的な内容について従来技術を参照してもよい。
【００３５】
本実施例では、該セルは、独立した物理セル識別子を有する独立セル、又はセル群内の独立した物理セル識別子を有するセルである。発見信号は、ＰＳＳ（Ｐｒｉｍａｒｙ  Ｓｙｎｃｈｒｏｎｉｚａｔｉｏｎ  Ｓｉｇｎａｌ）及びＳＳＳ（Ｓｅｃｏｎｄａｒｙ  Ｓｙｎｃｈｒｏｎｉｚａｔｉｏｎ  Ｓｉｇｎａｌ）、並びにＣＲＳ（Ｃｏｍｍｏｎ  Ｒｅｆｅｒｅｎｃｅ  Ｓｉｇｎａｌ）、ＣＳＩＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、ＰＲＳ（Ｐｏｓｉｔｉｏｎｉｎｇ  Ｒｅｆｅｒｅｎｃｅ  Ｓｉｇｎａｌ）及びＲｅｄｕｃｅｄ  ＣＲＳ（Ｒｅｄｕｃｅｄ  Ｃｏｍｍｏｎ  Ｒｅｆｅｒｅｎｃｅ  Ｓｉｇｎａｌ）の１つ又は組み合わせを含んでもよい。
【００３６】
例えば、単一のセルについて、発見信号は従来のＰＳＳ／ＳＳＳ信号、ＣＲＳ信号、ＣＳＩＲＳ信号、ＰＲＳ信号、又はＲｅｄｕｃｅｄ  ＣＲＳ信号であってもよい。ここで、「単一」は、該Ｃｅｌｌがいずれのセル群にも属しないことを意味してもよい。セル群内の全てのセルが独立した物理セルＩＤを有し、即ち該ＩＤを用いて該セルを一義的に決定できる場合は、該セルにより送信された発見信号は、同様に、従来のＰＳＳ／ＳＳＳ信号、ＣＲＳ信号、ＣＳＩＲＳ信号、ＰＲＳ信号、又はＲｅｄｕｃｅｄ  ＣＲＳ信号であってもよい。
【００３７】
以下は、発見信号がＰＳＳ／ＳＳＳ信号であることを一例として説明する。
【００３８】
１つの態様では、発見信号は、周波数分割多重（ＦＤＤ：Ｆｒｅｑｕｅｎｃｙ  Ｄｉｖｉｓｉｏｎ  Ｄｕｐｌｅｘ）システムのサブフレームで送信されてもよい。ＰＳＳ及びＳＳＳは、０番目のサブフレーム又は５番目のサブフレームに設定され、セル基地局は、ＰＳＳ及びＳＳＳを含む０番目のサブフレーム及び／又は５番目のサブフレームを送信する。
【００３９】
ＬＴＥ  ＦＤＤを一例として、ＰＳＳ／ＳＳＳ信号は通常０番目のサブフレーム及び５番目のサブフレームに設定される。ＰＳＳ信号は該サブフレームの１番目のスロットの最後の１つのＯＦＤＭシンボルに位置し、ＳＳＳ信号は該サブフレームの１番目のスロットの後ろから２番目のＯＦＤＭシンボルに位置する。０番目のサブフレームと５番目のサブフレームのＰＳＳ信号は同じであり、ＳＳＳ信号は異なる。
【００４０】
ＬＴＥ通信では、通常、ＵＥは、検出されるセルのサブフレーム番号を決定するために（粗い同期の一部）、少なくとも２つのＳＳＳ信号サンプルを検出し、即ちどのサンプルが０番目のサブフレームに属し、どのサンプルが５番目のサブフレームに属するかを決定する必要がある。このように、ＵＥ側にいずれの事前情報もない場合に、セル（例えば休止モードにあるＣｅｌｌ）は、ＵＥに１回の完全な「発見」処理を完成させるために、少なくとも２つのサブフレームを送信する必要がある。即ち、セル基地局は、ＰＳＳ及びＳＳＳを含む０番目のサブフレーム及び５番目のサブフレームを送信してもよい。
【００４１】
また、セル基地局は、ＰＳＳ及びＳＳＳを含む０番目のサブフレーム又は５番目のサブフレームを送信してもよい。具体的には、セル（例えば、休止状態にある独立したＬＴＥ  ＦＤＤ  Ｃｅｌｌ、又は独立した物理セルＩＤを有し、且つあるＣｅｌｌ群に属するＬＴＥ  ＦＤＤ  Ｃｅｌｌ）は、毎回０番目のサブフレーム又は５番目のサブフレームのみでＰＳＳ／ＳＳＳ信号を送信することを事前に約束してもよい。このように、ユーザ側にいずれの事前情報が無くても、ＵＥは１つのサブフレームを検出することでサブフレーム番号を一義的に決定できる。
【００４２】
もう１つの態様では、発見信号は、時間分割多重（ＴＤＤ：Ｔｉｍｅ  Ｄｉｖｉｓｉｏｎ  Ｄｕｐｌｅｘ）システムのサブフレームにより送信されてもよい。ＰＳＳは１番目のサブフレーム又は６番目のサブフレームに設定され、ＳＳＳは０番目のサブフレーム又は５番目のサブフレームに設定され、セル基地局は、ＰＳＳ及びＳＳＳを含む２つの隣接するサブフレーム又は２つの隣接するスロットを送信する。
【００４３】
具体的には、ＬＴＥ  ＴＤＤについて、通常、ＰＳＳ信号は１番目のサブフレーム及び６番目のサブフレームの１番目のスロットの３番目のＯＦＤＭシンボルに設定され、ＳＳＳ信号は０番目のサブフレーム及び６番目のサブフレームの２番目のスロットの最後の１つのＯＦＤＭシンボルに設定される。ＬＴＥ  ＦＤＤと類似するように、１番目のサブフレーム及び６番目のサブフレームのＰＳＳ信号は同じであり、０番目のサブフレーム及び５番目のサブフレームのＳＳＳ信号は異なり、通常、ＵＥはＳＳＳ信号を検出することによって、サブフレーム番号を位置決めする。このように、ＵＥ側にいずれの事前情報がない場合に、セル（例えば休止モードにあるＣｅｌｌ）は、ＵＥに１回の完全な「発見」処理を完成させるために、少なくとも２つのサブフレームを送信する必要がある。送信信号量を低減するために、セルは従来のＰＳＳ信号及びＳＳＳ信号の一部だけを送信してもよい。
【００４４】
例えば、セル（例えば休止状態にある独立したＬＴＥ  ＴＤＤ  Ｃｅｌｌ、又は独立した物理セルＩＤを有し、且つあるＣｅｌｌ群に属するＬＴＥ  ＴＤＤ  Ｃｅｌｌ）は、毎回、１番目のサブフレーム及び０番目のサブフレームを含むＰＳＳ／ＳＳＳ信号、又は６番目のサブフレーム及び５番目のサブフレームを含むＰＳＳ／ＳＳＳ信号のみを送信することを約束してもよい。このように、ユーザ側にいずれの事前情報が無くても、ＵＥは１組のＰＳＳ／ＳＳＳ信号を検出することでサブフレーム番号を一義的に決定できる。
【００４５】
１番目のサブフレーム及び０番目のサブフレームを含むＰＳＳ／ＳＳＳ信号のみを送信する場合は、ＬＴＥ  ＴＤＤにおけるＰＳＳ信号及びＳＳＳ信号が隣接する２つのサブフレームに位置するため、毎回、ＰＳＳ及びＳＳＳを含む２つの隣接するサブフレームを同時に送信してもよいし（即ち、実際の送信信号の時間長が２ｍｓである）、ＳＳＳを含むスロット及びＰＳＳを含むスロットのみを送信してもよい（即ち、実際の送信信号が１ｍｓ信号のままである）。
【００４６】
もう１つの態様では、発見信号がＣＲＳ信号、ＣＳＩＲＳ信号、ＰＲＳ信号又はＲｅｄｕｃｅｄ  ＣＲＳ信号の１つ又は複数である場合に、セルは約束した時間内に該信号を正常に送信すればよい。
【００４７】
もう１つの態様では、発見信号がＰＳＳ／ＳＳＳ信号と、他の発見信号（例えばＣＲＳ信号、ＣＳＩＲＳ信号、ＰＲＳ信号又はＲｅｄｕｃｅｄ  ＣＲＳ信号の１つ又は複数）とにより構成された場合に、セル基地局は、１つ若しくは２つのサブフレーム、又は２つの隣接するスロットを用いてＰＳＳ／ＳＳＳを送信し、ＰＳＳ／ＳＳＳ信号を含む時間周波数リソースにおいて他の発見信号を送信してもよい。
【００４８】
具体的には、１つのセル（例えば休止状態にある独立したＣｅｌｌ、又は独立した物理セルＩＤを有し、且つあるＣｅｌｌ群に属するＣｅｌｌ）は、送信されたＰＳＳ／ＳＳＳ信号を含む時間周波数リソースにおいてＵＥに必要な他の発見信号を送信してもよい。ＰＳＳ／ＳＳＳの信号の送信方法は上記のものと同じであってもよい。また、送信されたＰＳＳ／ＳＳＳ信号を含む１つのサブフレーム（例えば上記のＬＴＥ  ＦＤＤの１組のＰＳＳ／ＳＳＳを含む信号）、２つのサブフレーム（例えば上記のＬＴＥ  ＴＤＤの１組のＰＳＳ／ＳＳＳを含む、時間長が２ｍｓの信号）、又は時間長が１ｍｓの不完全なサブフレーム（例えば上記のＬＴＥ  ＴＤＤの１組のＰＳＳ／ＳＳＳを含む、時間長が１ｍｓの信号）において、他の発見信号（例えばＣＲＳ信号、ＣＳＩＲＳ信号、ＰＲＳ信号、又はＲｅｄｕｃｅｄ  ＣＲＳ信号）を送信してもよい。
【００４９】
本実施例では、セルはセル群内の独立した物理セル識別子を有しないセルであってもよく、発見信号は、セル群の独立した物理セル識別子に対応する１段目の発見信号、及びセル群内のセル識別子に対応する２段目の発見信号を含んでもよい。ここで、１段目の発見信号は、ＰＳＳ及びＳＳＳを含んでもよく、２段目の発見信号は、ＣＲＳ信号、ＣＳＩＲＳ信号、ＰＲＳ信号及びＲｅｄｕｃｅｄ  ＣＲＳ信号の１つ又は組み合わせを含んでもよい。
【００５０】
具体的には、１つのセル群内の全てのセルの物理セルＩＤが同一であり、セル群内のセルが仮想ＩＤにより区分される場合に、セル群内の全てのセルは、同一の１段目の発見信号（セル群の物理セルＩＤに対応する）及び異なる２段目の発見信号（セル群内の各セルの仮想ＩＤに対応する）を送信してもよい。例えば、１段目の発見信号はＰＳＳ／ＳＳＳ信号であってもよく、２段目の発見信号はＣＲＳ信号、ＣＳＩＲＳ信号、ＰＲＳ信号又はＲｅｄｕｃｅｄ  ＣＲＳ信号であってもよい。
【００５１】
具体的には、１つの態様では、該セル（例えば休止セル）の所在するセル群内にアクティブ状態にある他のセルがある場合に、該休止セルは１段目の発見信号及び２段目の発見信号を同時に送信してもよい。
【００５２】
セル基地局は、１つ若しくは２つのサブフレーム、又は２つの隣接するスロットを用いて第１の発見信号を送信し、第１の発見信号の時間周波数リソースにおいて第２の発見信号を送信してもよい。即ち、送信方法は、上記のＰＳＳ／ＳＳＳ信号と他の発見信号（例えばＣＲＳ信号、ＣＳＩＲＳ信号、ＰＲＳ信号、及びＲｅｄｕｃｅｄ  ＣＲＳ信号のうち１つ又は複数）により構成された発見信号の態様と同じである。
【００５３】
もう１つの態様では、該セル（例えば休止セル）の所在するセル群内にアクティブ状態にある他のセルがある場合に、該休止セルは２段目の発見信号のみを送信してもよく、セル群内のアクティブセルの基地局は、セル群の独立した物理セル識別子に対応する１段目の発見信号を送信してもよい。
【００５４】
具体的には、該休止セルは２段目の発見信号のみを送信してもよい。ＵＥは、まずアクティブセルの１段目の発見信号に基づいてセル群の物理セルＩＤを決定して粗い同期を行い、そして、休止セルの２段目の発見信号に基づいて休止セル仮想及び細かい同期を行ってもよい。
【００５５】
この場合には、休止セルによる送信の要否及び発見信号は、事前に決定され、例えば標準で明確に規定されてもよいし、セル群の制御装置により構成されてもよい。ここで、制御装置は、セル群をカバーするマクロセル基地局であってもよいし、セル群内の単独の装置、例えば制御を行うための専用の制御装置又はセル群内のセルであってもよい。
【００５６】
もう１つの態様では、該セル（例えば１つの休止セル）の所在するセル群内の全てのセルが休止状態にある場合に、該休止セルは１段目の発見信号及び２段目の発見信号を同時に送信してもよいし、２段目の発見信号のみを送信し、セル群内の他のセルの基地局はセル群の独立した物理セル識別子に対応する１段目の発見信号を送信してもよい。
【００５７】
具体的には、一部のセルのみが１段目の発見信号を送信し、各セルが自分の仮想ＩＤに対応する２段目の発見信号をそれぞれ送信してもよい。さらに、セルが１段目の発見信号を個別に送信せず、セルの１段目の発見信号は常に２段目の発見信号と共に送信されてもよい。セルの２段目の発見信号は、個別に送信されてもよいし、１段目の発見信号と共に送信されてもよい。各２段目の発見信号を送信する時に１つの１段目の発見信号を共に送信することを少なくとも確保し、この１段目の発見信号はセル群の他のセルにより送信されてもよい。
【００５８】
なお、以上はセルによる発見信号の送信を説明しているが、本発明はこれに限定されず、上記の明細書に応じて適切に変形、或いは調整してもよいし、実際の状況に応じて具体的な態様を決定してもよい。
【００５９】
本実施例では、ＵＥによる発見信号の検出の正確確率を増加させるために、下記の方法でＵＥ側により受信された発見信号の品質、例えば信号対干渉電力と雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）を高めてもよい。
【００６０】
１つの態様では、セル基地局は発見信号の送信電力を増加させてもよい。該方法は、送信電力を増加させる方法と称されてもよい。
【００６１】
例えば、休止セルの基地局により送信された発見信号の電力は、休止セルにより送信された測定信号の電力よりも大きくてもよく、且つ／或いはアクティブセルによりＵＥのために提供されたサービスの通常送信電力よりも大きくてもよい。送信電力の増加のレベルは、セル群の制御装置又はセルの所在位置をカバーするマクロセルにより構成されてもよい。
【００６２】
もう１つの態様では、セル基地局が発見信号を送信する時間領域リソースにおいて、他の基地局が信号を伝送することを回避し、或いは他の基地局が信号を伝送する電力を減少させるように、セル基地局と他の基地局とは協調してもよい。該方法は干渉協調の方法と称されてもよい。
【００６３】
例えば、休止セルは、アクティブセルと協調して、休止セルが発見信号を送信する時間周波数リソースにおいてアクティブセルが信号を伝送することを回避し、或いはアクティブセルが該時間周波数リソースにおいて信号を伝送する時の送信電力を減少させてもよい。
【００６４】
もう１つの態様では、異なるセルの発見信号が異なる時点で送信されるように、セル基地局と他の基地局とは協調してもよい。該方法は干渉回避の方法と称されてもよい。
【００６５】
例えば、異なる休止セルが発見信号を送信する時点を互いにずらしてもよい。具体的なオフセットは、休止セルの物理セルＩＤ及び／又は仮想ＩＤに基づいて算出されてもよいし、セル群制御装置又はセルの所在位置をカバーするマクロセルにより構成されてもよい。
【００６６】
具体的に実施する際に、上記の態様の１つを採用してもよいし、上記複数の態様を組み合わせてもよい。上記送信電力を増加させる方法を採用し、且つＵＥ側に事前情報（例えば、発見信号の送信電力の測定信号の送信電力を超える比率が既知である）がある場合に、ＵＥは該信号を用いてＲＲＭ測定を行ってもよい。
【００６７】
干渉協調又は干渉回避の方法を採用し、且つＵＥ側に事前情報（例えば、該発見信号の受ける干渉のレベルが測定信号の受ける干渉のレベルに相当する）がある場合に、ＵＥは該信号を用いてＲＲＭ測定を行ってもよく、そうでない場合に、ＵＥは該信号を用いてＲＳＲＰ測定のみを行い、該信号を用いてＲＳＳＩ及びＲＳＲＱの測定を行わなくてもよい。
【００６８】
上記の送信電力を増加させる方法、及び上記の干渉協調又は干渉回避の方法を同時に採用し、且つＵＥ側に事前情報（例えば、発見信号の送信電力の測定信号の送信電力を超える比率が既知であり、該発見信号の受ける干渉のレベルが測定信号の受ける干渉のレベルに相当する）がある場合に、ＵＥは該信号を用いてＲＲＭ測定を行ってもよい。ＵＥ側に事前情報（例えば、発見信号の送信電力の測定信号の送信電力を超えた比率が既知である）がある場合に、ＵＥは該信号を用いてＲＳＲＰ測定を行ってもよい。上記の事前情報は、ＵＥによりサービングされたセルにより、ＲＲＣシグナリングを介してＵＥのために構成されてもよい。
【００６９】
以上はセル基地局による発見信号の送信を例示的に説明している。具体的に実施する際に、例えば、休止状態にあるｃｅｌｌは、発見信号を周期的に送信してもよいし、制御装置の制御により発見信号を１回で送信してもよい。制御装置は、マクロ基地局であってもよいし、セル群の中心制御装置（ｃｅｎｔｒａｌｉｚｅｄ  ｃｏｎｔｒｏｌｌｅｒ）であってもよいし、アクティブ状態（ａｃｔｉｖｅ  ｍｏｄｅ）にある他のセル基地局であってもよい。制御装置の具体的な内容は従来技術を参照してもよい。
【００７０】
図２は本発明の実施例のセルの発見及び測定方法のもう１つのフローチャートであり、セル基地局と制御装置との間のインタラクションを示している。
【００７１】
図２に示すように、制御装置は、セル基地局が発見信号を送信するように指示してもよいし、休止状態にあるｃｅｌｌが信号の送信周期及び送信電力などを変更するように指示してもよい。省エネ化の角度から考慮すると、休止状態にあるｃｅｌｌは、できるだけ長い周期で発見信号を送信する。各送信の時間長はできるだけ短くする。休止状態にある独立したｃｅｌｌは、できるだけ短い周期で、ＵＥに必要な全ての発見信号を１回で送信する必要がある。例えば、該ｃｅｌｌは、１つのサブフレーム内で、ＰＳＳ／ＳＳＳ信号及び／又は上記の他のＵＥに必要な信号を同時に送信してもよい。
【００７２】
図２に示すように、制御装置は、セル基地局が測定信号を送信するように指示してもよい。また、制御装置は、休止状態にあるセルの基地局が該休止セルをアクティブ化するように指示してもよい。セル基地局は、制御装置の指示又は他の基地局により送信されたアクティブ化メッセージを受信した後に、該セルを休止状態からアクティブ状態に切り替える。
【００７３】
以下は、セル基地局による測定信号の送信を説明する。
【００７４】
本実施例では、ＲＲＭ測定は、主にＵＥでセルが信号を受信する電力及び干渉レベルを測定して、セルのハンドオーバ等の決定のために参照信号を提供する。よって、測定信号が発見信号と同様に非常に短い時間長で送信されると、走査の時間が短すぎて該セルの受信信号の受ける干渉レベルを正確に反映できなく、即ちＲＳＳＩ及びＲＳＲＱの測定値と真の値との差が大き過ぎることをもたらす可能性がある。
【００７５】
ステップ１０２において、測定信号は、該セルがＵＥのためにサービスを提供する時の送信電力で送信されてもよい。測定信号の１回の送信時間長は、発見信号の１回の送信時間長以上である。
【００７６】
また、セルが発見信号を送信する時に送信電力を増加させ、且つＵＥ側が測定信号に比べて発見信号の電力の増加比率を分からない場合に、発見信号と測定信号とが同一種類の信号、例えばＣＲＳ信号、ＣＳＩＲＳ信号又はＲｅｄｕｃｅｄ  ＣＲＳ信号であっても、ＵＥは発見信号を用いてＲＲＭ測定を行わない。ＵＥは、発見信号及び測定信号の受信電力を比較することで、発見信号の送信電力が増加されるか否かを判断し、或いはＵＥのサービングセルは、ＲＲＣ層シグナリングにより、ＵＥが発見信号を用いて測定してもよいか否か構成してもよい。
【００７７】
本実施例では、測定信号は、ＣＲＳ信号、ＣＳＩＲＳ信号、ＰＲＳ信号、及びＲｅｄｕｃｅ  ＣＲＳ信号の１つ又は組み合わせを含んでもよい。なお、本発明はこれに限定されず、実際の状況に応じて具体的な信号を決定してもよい。
【００７８】
１つの態様では、セル基地局は、発見信号を送信した後の所定時間後に、測定信号を送信してもよい。
【００７９】
ここで、標準により、測定信号を送信する具体的な時間が規定されてもよいし、制御装置により、休止セルのために測定信号の送信及び測定信号の送信の具体的な時間が構成されてもよい。例えば、発見信号の後の具体的な時間後であってもよい。このような場合は、制御装置は、休止セルが測定信号を送信することのみを通知してもよい。ここで、具体的な時間は、例えば全ての休止セルが同じであってもよいし、休止セルの物理セルＩＤ又は仮想ＩＤに基づいて算出されてもよい。
【００８０】
もう１つの態様では、セル基地局は、発見信号を送信した後、他のセルの要求又は制御装置の指示を受信した場合に測定信号を送信してもよい。このように、セルのエネルギーをさらに節約でき、即ち必要な場合（例えば、それを測定するＵＥがある場合）にのみ測定信号を送信できる。また、制御装置は、休止セルが測定信号を送信するように通知し、測定信号の送信時間を構成してもよい。
【００８１】
もう１つの態様では、測定信号がＣＳＩＲＳ信号又はＲｅｄｕｃｅｄ  ＣＲＳ信号である場合に、アクティブセルでは、これらの信号が全てのサブフレームにあることではない。例えば、ＣＳＩＲＳ信号の送信周期は、各５つのサブフレーム毎に１つのサブフレームがＣＳＩＲＳ信号を含み、ＲＣＲＳ信号の送信周期もこのようなものである可能性がある。
【００８２】
よって、ＣＳＩＲＳ信号又はＲｅｄｕｃｅｄ  ＣＲＳ信号を休止セルの測定信号とする場合に、休止セルの「ＯＮ」状態にある時間を低減させるために、それらは連続するサブフレームにおいて送信されてもよい。例えば、ＣＳＩＲＳの連続的な送信は、複数のプロセスを構成することで実現されてもよい。なお、Ｒｅｄｕｃｅ  ＣＲＳが必ずしも全帯域幅で送信されないことを考慮するから、Ｒｅｄｕｃｅｄ  ＣＲＳは連続するサブフレームにおいて送信されても、従来のＣＲＳと異なる。
【００８３】
具体的に実現する際に、複数のＵＥが該セルを発見した場合に、該セルは測定信号の送信を選択し、省エネ化を図るように信号の送信をさらに低減させてもよい。
【００８４】
例えば、休止セルは、まずＵＥ−１によりトリガされたＵＥ−１サービングセルＣｅｌｌ−１からのメッセージを受信し、Ｃｅｌｌ−１との合意を達成し、ある時点で測定信号を送信することと決定する（例えば、この合意は、Ｃｅｌｌ−１が測定信号の送信時間を完全に了解し、Ｃｅｌｌ−１と休止セルとが協商するという方式で合意を達成してもよいし、標準に規定された固定の時間で送信するという方式で合意を達成してもよい）。
【００８５】
その後、休止セルがＵＥ−２によりトリガされたＵＥ−２のサービングセルＣｅｌｌ−２からのメッセージを受信し、測定信号を送信する必要がある場合に、休止セルは、Ｃｅｌｌ−２により提供された送信時点（Ｃｅｌｌ−２が提出した場合）を拒否し、Ｃｅｌｌ−１と合意を達成した時点をＣｅｌｌ−２に送信してもよい。これによって、不要な測定信号を重複して送信することを回避でき、さらなる省エネ化を実現できる。
【００８６】
上記の実施例によれば、基地局が発見信号及び測定信号をそれぞれ送信することで、発見信号の１回の送信時間をできるだけ短くし、２つの発見信号の送信の間の間隔をできるだけ長くし、必要な時にのみ測定信号を送信することができるため、セルの省エネ化に繋がり、ＵＥが測定信号に基づいてＲＲＭ測定を正確に行うことができるため、ＲＲＭ測定の精度を向上できる。
【００８７】
＜実施例２＞
本発明の実施例は、ＵＥのサービングセルの基地局側に適用するセルの発見及び測定方法を提供し、実施例１と同様な内容は説明が省略される。
【００８８】
図３は本発明の実施例のセルの発見及び測定方法の１つのフローチャートであり、図３に示すように、該方法は下記のステップを含む。
【００８９】
ステップ３０１：サービング基地局は、ＵＥにより報告されたセルを発見するための発見情報を受信する。
【００９０】
ここで、該発見情報は、ＵＥがセル基地局により送信された発見信号を受信することで生成され、該発見信号と該セルを測定するための測定信号はセル基地局によりそれぞれ送信され、該発見信号は、ＵＥがセル基地局との同期を実現させるのを補助するために用いられてもよい。
【００９１】
図３に示すように、該方法は下記のステップをさらに含んでもよい。
【００９２】
ステップ３０２：サービング基地局は、好ましくは、ＵＥにより送信されたセルを測定するための測定報告を受信する。
【００９３】
本実施例では、セル基地局が発見信号を送信した後に（実施例１に説明したように）、該発見信号を受信したＵＥは、該発見信号に基づいて該セル（例えば休止セル）を発見してもよく、ＵＥは、サービングセルの基地局に、該セルを発見する発見情報を報告してもよい。
【００９４】
また、セル基地局が測定信号を送信した後に（実施例１に説明したように）、該測定信号を受信したＵＥは、該測定信号に基づいて該セル（例えば休止セル）に対してＲＲＭ測定を行ってもよく、そして、ＵＥは、必要な場合に、サービングセルの基地局に測定報告を報告してもよい。
【００９５】
図４は本発明の実施例のセルの発見及び測定方法のもう１つのフローチャートであり、ＵＥ、サービング基地局及びセル基地局の間のインタラクションを示している。図４に示すように、該方法は下記のステップを含む。
【００９６】
ステップ４０１：サービング基地局は、ＵＥを構成してセルを発見してもよい。
【００９７】
好ましくは、サービング基地局は、ＵＥを構成してもよい。例えば、ＲＲＣシグナリングを介して該セル（例えば休止セル）の物理セルＩＤ及び／又は仮想ＩＤをＵＥに構成し、且つ／或いはＲＲＣシグナリングを介してターゲット休止基地局とサービング基地局とが同期するか否かをＵＥに通知し、且つ／或いはＲＲＣシグナリングを介して、サービング基地局のどのフレーム／サブフレーム／スロットに対応する位置において休止基地局が発見信号を送信することをＵＥに通知してもよい。
【００９８】
ステップ４０２：セル基地局は発見信号を送信する。具体的な送信方法は実施例１を参照してもよい。
【００９９】
ステップ４０３：ＵＥは該発見信号を受信し、該発見信号に基づいて該セルを発見し、セル基地局との同期を実現する。
【０１００】
具体的には、発見信号に基づいてセルを発見する方法は従来技術を参照する。また、該発見信号を検出する前に、該セルとサービングセルとが同期状態にあることがＵＥにより決定された場合、ＵＥは粗い同期をさらに行う必要がない。
【０１０１】
ステップ４０４：ＵＥはサービング基地局に発見情報を報告する。
【０１０２】
該発見情報は、例えば休止セルのセルＩＤ等を含んでもよいが、本発明はこれに限定されない。
【０１０３】
ステップ４０５：サービング基地局は、セルの基地局又は制御装置に通知メッセージを送信して、セルが測定信号を送信するように通知する。
【０１０４】
好ましくは、サービング基地局は、セル基地局が測定信号を送信するように通知するための通知メッセージを送信してもよい。例えば、休止セルが測定信号を送信することのみを通知してもよいし、或いは、休止セルが測定信号を送信するように通知すると同時に、測定信号の送信時間を構成し、即ち通知メッセージに、測定信号の送信時間を構成するための情報を含ませてもよいし、或いは休止セルが測定信号を送信するように通知すると同時に、測定信号の送信時間について休止セルと協商し、即ちサービング基地局とセル基地局とは測定信号の送信時間を協商してもよい。
【０１０５】
具体的に実施する際に、サービングセルが複数のＵＥの発見情報を受信した場合に、サービングセルは、休止セルの信号の送信をさらに低減して省エネ化を図るように、測定信号の送信要求を選択してもよい。
【０１０６】
例えば、サービングセルは、ＵＥ−Ａによる休止セルを検出した報告を受信し、Ｃｅｌｌ−Ａに測定信号送信要求を送信し、Ｃｅｌｌ−Ａの確認を取得する前にＵＥ−ＢによるＣｅｌｌ−Ａを検出した報告を受信した場合に、該サービングセルはＣｅｌｌ−Ａに測定信号送信要求を繰り返して送信しない。これによって、不要な測定信号を重複して送信することを回避できる。
【０１０７】
或いは、該サービングセルがＵＥ−Ａによる休止セルＣｅｌｌ−Ａを検出した報告を受信し、Ｃｅｌｌ−Ａに測定信号送信要求を送信し、Ｃｅｌｌ−Ａの確認を取得する前に、ＵＥ−ＢによるＣｅｌｌ−Ａを検出した報告を受信した場合に、ＲＲＣシグナリングの送信遅延（プロトコルにより生じた可能性がある）を考慮し、ＵＥ−ＢはＣｅｌｌ−Ａが測定信号を送信する前に測定信号で送信した構成情報を受信でき、該サービングセルは該測定信号の構成情報をＵＥ−Ｂに送信し、Ｃｅｌｌ−Ａに測定信号送信要求を繰り返して送信しない。これによって、不要な測定信号を重複して送信することを回避できる。
【０１０８】
或いは、サービングセルは、ＵＥ−Ａにより休止セルＣｅｌｌ−Ａを検出した報告を受信し、Ｃｅｌｌ−Ａに測定信号送信要求を送信した。ＵＥ−ＢがＣｅｌｌ−Ａを検出したという報告を受信した場合に、該サービングセルはＣｅｌｌ−Ａに測定信号送信要求を再度送信する。
【０１０９】
ステップ４０６：セル基地局は、測定信号に関する測定情報をサービング基地局に送信する。
【０１１０】
ステップ４０７：サービング基地局は、セル基地局により送信された測定信号に関する測定情報を受信し、測定信号に基づいてＵＥを構成する。
【０１１１】
好ましくは、サービング基地局は、基地局間のインタラクションに基づいてＵＥを構成し、ＵＥにセルにより送信された測定信号を測定させてもよい。
【０１１２】
ステップ４０８：セル基地局は測定信号を送信する。具体的な送信方法は実施例１を参照してもよい。
【０１１３】
ステップ４０９：ＵＥは測定信号を受信し、測定信号に基づいて該セルを測定する。
【０１１４】
ステップ４１０：ＵＥはサービング基地局に、該セルを測定するための測定報告を送信する。
【０１１５】
好ましくは、測定結果がＵＥ側により構成された測定イベントをトリガした場合に、ＵＥは測定報告をサービング基地局に送信してもよい。
【０１１６】
ステップ４１１：サービング基地局は、前記測定報告に基づいてハンドオーバするか否かを判断し、ハンドオーバすると判断された場合に、ＵＥをセルにハンドオーバする。
【０１１７】
好ましくは、サービング基地局は、ＵＥを該セル（例えば休止セル）にハンドオーバする必要があるか否かを判断してもよい。
【０１１８】
ステップ４１２：サービング基地局は、セル基地局にアクティブ化メッセージを送信して、該セルをアクティブ化する。
【０１１９】
ステップ４１３：セル基地局は、該セルを休止状態からアクティブ状態に切り替える。
【０１２０】
好ましくは、発見されたセルが依然として休止状態にある場合に、該セルを発見したＵＥの所在するサービング基地局は、アクティブ化メッセージを送信して該休止セルをアクティブ化してもよい。
【０１２１】
以上はＵＥ、サービング基地局及びセル基地局の間のインタラクションプロセスを示している。なお、本発明はこれに限定されず、具体的に実施する際に適切に調整してもよい。例えば、そのうち１つ又は複数のオプションのステップを省略してもよいし、各ステップの実行順序を変更してもよい。
【０１２２】
具体的に実施する際に、制御装置によりセルの発見及び測定を実現してもよい。
【０１２３】
図５は本発明の実施例のセルの発見及び測定方法のもう１つのフローチャートであり、ＵＥ、サービングセル、制御装置及びセル基地局の間のインタラクションプロセスを示している。図５に示すように、該方法は下記のステップを含む。
【０１２４】
ステップ５０１：好ましくは、サービング基地局は、ＵＥを構成してセルを発見してもよい。
【０１２５】
ステップ５０２：好ましくは、セル基地局は、発見信号を送信するように指示する制御装置の指示を受信してもよい。
【０１２６】
ステップ５０３：セル基地局は、発見信号を送信する。具体的な送信方法は実施例１を参照してもよい。
【０１２７】
ステップ５０４：ＵＥは、該発見信号を受信し、該発見信号に基づいて該セルを発見し、セル基地局との同期を実現する。
【０１２８】
ステップ５０５：ＵＥは、サービング基地局に発見情報を報告する。
【０１２９】
ステップ５０６：好ましくは、サービング基地局は、制御装置に通知メッセージを送信し、セル基地局が測定信号を送信するように通知してもよい。
【０１３０】
ステップ５０７：好ましくは、制御装置は、サービング基地局に、測定信号に関する測定情報を送信してもよい。
【０１３１】
ステップ５０８：好ましくは、サービング基地局は、測定信号の関連情報を受信し、測定情報に基づいてＵＥを構成してもよい。
【０１３２】
ステップ５０９：好ましくは、制御装置は、セル基地局に、測定信号を送信することを指示する指示を送信してもよい。
【０１３３】
ステップ５１０：セル基地局は、測定信号を送信する。具体的な送信方法は実施例１を参照してもよい。
【０１３４】
ステップ５１１：ＵＥは、測定信号を受信し、測定信号に基づいて該セルを測定する。
【０１３５】
ステップ５１２：好ましくは、ＵＥは、サービング基地局に、該セルを測定するための測定報告を送信してもよい。
【０１３６】
ステップ５１３：好ましくは、サービング基地局は、測定報告に基づいてハンドオーバするか否かを判断し、ハンドオーバすると判断された場合に、ＵＥをセルにハンドオーバしてもよい。
【０１３７】
ステップ５１４：好ましくは、サービング基地局は、制御装置にアクティブ化メッセージを送信してもよい。
【０１３８】
ステップ５１５：好ましくは、制御装置は、セル基地局に、セルをアクティブ化することを指示する指示を送信してもよい。
【０１３９】
ステップ５１６：好ましくは、セル基地局は、該セルを休止状態からアクティブ状態に切り替えてもよい。
【０１４０】
以上はＵＥ、サービング基地局及びセル基地局の間のインタラクションプロセスを示している。なお、本発明はこれに限定されず、具体的に実施する際に適切に調整してもよい。例えば、そのうち１つ又は複数のオプションのステップを省略してもよいし、各ステップの実行順序を変更してもよい。例えば、ステップ５０２及びステップ５０３の後にステップ５０１を実行してもよい。
【０１４１】
上記の実施例によれば、基地局が発見信号及び測定信号をそれぞれ送信することで、発見信号の１回の送信時間をできるだけ短くし、２つの発見信号の送信の間の間隔をできるだけ長くし、必要な時にのみ測定信号を送信することができるため、セルの省エネ化に繋がり、ＵＥが測定信号に基づいてＲＲＭ測定を正確に行うことができるため、ＲＲＭ測定の精度を向上できる。
【０１４２】
＜実施例３＞
本発明の実施例は、ＵＥ側に適用するセルの発見及び測定方法を提供する。実施例１又は実施例２と同様な内容は説明が省略される。
【０１４３】
図６は本発明の実施例のセルの発見及び測定方法の１つのフローチャートであり、図６に示すように、該方法は下記のステップを含む。
【０１４４】
ステップ６０１：ＵＥは、セル基地局により送信されたセルを発見するための発見信号を受信し、該セル基地局との同期を実現する。
【０１４５】
ステップ６０２：ＵＥは、該セルを発見するための発見情報をサービング基地局に報告する。
【０１４６】
ステップ６０３：ＵＥは、セル基地局により送信された測定信号を受信し、該測定信号に基づいて該セルを測定する。
【０１４７】
図６に示すように、該方法は下記のステップをさらに含んでもよい。
【０１４８】
ステップ６０４：好ましくは、ＵＥは、セルを測定するための測定報告をサービング基地局に送信する。
【０１４９】
具体的に実施する際に、ＵＥは、ＲＲＣシグナリングを介してサービング基地局に発見情報を報告してもよいし、ＲＲＣシグナリングを介してサービング基地局に測定報告を送信してもよい。
【０１５０】
図７は本発明の実施例のセルの発見及び測定方法のもう１つのフローチャートであり、ＵＥとサービング基地局との間のインタラクションプロセスを示している。図７に示すように、該方法は下記のステップを含む。
【０１５１】
ステップ７０１：好ましくは、サービング基地局は、ＵＥを構成してセルを発見してもよい。
【０１５２】
ステップ７０２：ＵＥは、発見信号を受信し、該発見信号に基づいてセルを発見し、セル基地局との同期を実現する。
【０１５３】
ステップ７０３：ＵＥは、サービング基地局に発見情報を報告する。
【０１５４】
ステップ７０４：好ましくは、サービング基地局は、ＵＥを構成して測定を行ってもよい。
【０１５５】
ステップ７０５：ＵＥは、測定信号を受信し、測定信号に基づいて該セルを測定する。
【０１５６】
ステップ７０６：好ましくは、ＵＥは、サービング基地局に、該セルを測定するための測定報告を送信する。
【０１５７】
上記の実施例によれば、基地局が発見信号及び測定信号をそれぞれ送信することで、発見信号の１回の送信時間をできるだけ短くし、２つの発見信号の送信の間の間隔をできるだけ長くし、必要な時にのみ測定信号を送信することができるため、セルの省エネ化に繋がり、ＵＥが測定信号に基づいてＲＲＭ測定を正確に行うことができるため、ＲＲＭ測定の精度を向上できる。
【０１５８】
＜実施例４＞
本発明の実施例は、実施例１に記載のセルの発見及び測定方法に対応する基地局を提供し、実施例１と同じ内容について説明が省略される。
【０１５９】
図８は本発明の実施例の基地局の１つの構成を示す図である。図８に示すように、基地局８００は、発見信号送信部８０１及び測定信号送信部８０２を含み、基地局８００の他の図示されない構成部分は従来技術を参照してもよい。
【０１６０】
発見信号送信部８０１は、ユーザ装置ＵＥにセルを発見させるための発見信号を送信し、ＵＥに基地局との同期を実現させる。測定信号送信部８０２は、発見信号を送信した後に測定信号を送信する。
【０１６１】
本実施例では、該セルは休止セルであってもよいが、本発明はこれに限定されない。
【０１６２】
１つの態様では、該セルは、独立した物理セル識別子を有する独立セル、又はセル群内の独立した物理セル識別子を有するセルである。発見信号送信部８０１は、１つ若しくは２つのサブフレーム、又は２つの隣接するスロットを用いて発見信号を送信してもよい。
【０１６３】
もう１つの態様では、該セルは、セル群内の独立した物理セル識別子を有しないセルであり、該発見信号は、セル群内のセル識別子に対応する２段目の発見信号を含み、或いは、セル群の独立した物理セル識別子に対応する１段目の発見信号及びセル群内のセル識別子に対応する２段目の発見信号を含む。
【０１６４】
図９は本発明の実施例の基地局のもう１つの構成を示す図である。図９に示すように、上述したように、基地局９００は、発見信号送信部８０１及び測定信号送信部８０２を含む。
【０１６５】
図９に示すように、基地局９００は、制御装置の指示又は他の基地局により送信されたアクティブ化メッセージを受信した後に、セルを休止モードからアクティブモードに切り替える状態切替部９０３、をさらに含んでもよい。
【０１６６】
以上は、単なるセル基地局の構成部分を例示的に示している。なお、本発明はこれに限定されず、具体的に実施する際に適切に調整してもよい。例えば、１つ又は複数のオプションの構成部を省略してもよく、各部の間の信号接続は実際の状況に応じて適切に調整してもよい。
【０１６７】
上記の実施例によれば、基地局が発見信号及び測定信号をそれぞれ送信することで、発見信号の１回の送信時間をできるだけ短くし、２つの発見信号の送信の間の間隔をできるだけ長くし、必要な時にのみ測定信号を送信することができるため、セルの省エネ化に繋がり、ＵＥが測定信号に基づいてＲＲＭ測定を正確に行うことができるため、ＲＲＭ測定の精度を向上できる。
【０１６８】
＜実施例５＞
本発明の実施例は、実施例２に記載のセルの発見及び測定方法に対応する基地局を提供し、実施例２と同じ内容について説明が省略される。
【０１６９】
図１０は本発明の実施例の基地局の１つの構成を示す図である。図１０に示すように、基地局１０００は、発見情報受信部１００１を含み、基地局１０００の他の図示されていない構成部は従来技術を参照してもよい。
【０１７０】
発見情報受信部１００１は、ＵＥにより報告されたセルを発見するための発見情報を受信する。ここで、発見情報は、ＵＥにより受信されたセル基地局により送信された発見信号に基づいて生成され、該発見信号及びセルを測定するための測定信号は、セル基地局によりそれぞれ送信され、該発見信号は、ＵＥがセル基地局との同期を実現するのを補助してもよい。
【０１７１】
図１０に示すように、基地局１０００は、ＵＥにより送信されたセルを測定するための測定報告を受信する測定報告受信部１００２、をさらに含んでもよい。
【０１７２】
図１１は本発明の実施例の基地局のもう１つの構成を示す図である。図１１に示すように、上述したように、基地局１１００は、発見情報受信部１００１及び測定報告受信部１００２を含む。
【０１７３】
図１１に示すように、基地局１１００は、ＵＥを構成してセルを発見する発見構成部１１０３、をさらに含んでもよい。
【０１７４】
図１１に示すように、基地局１１００は、セルの基地局又は制御装置に通知メッセージを送信して、セルが測定信号を送信するように通知する通知メッセージ送信部１１０４、をさらに含んでもよい。
【０１７５】
図１１に示すように、基地局１１００は、測定情報取得部１１０５及び測定構成部１１０６をさらに含んでもよい。測定情報取得部１１０５は、セルにより送信された測定信号の測定情報を取得する。測定構成部１１０６は、ＵＥがセルにより送信された測定信号を測定するように、測定情報に基づいてＵＥを構成する。
【０１７６】
図１１に示すように、基地局１１００は、セルの基地局又は制御装置にアクティブ化メッセージを送信して、セルをアクティブ化するアクティブ化メッセージ送信部１１０７、をさらに含んでもよい。
【０１７７】
以上は、単なるサービング基地局の構成部分を例示的に示している。なお、本発明はこれに限定されず、具体的に実施する際に適切に調整してもよい。例えば、１つ又は複数のオプションの構成部を省略してもよく、各部の間の信号接続は実際の状況に応じて適切に調整してもよい。
【０１７８】
上記の実施例によれば、基地局が発見信号及び測定信号をそれぞれ送信することで、発見信号の１回の送信時間をできるだけ短くし、２つの発見信号の送信の間の間隔をできるだけ長くし、必要な時にのみ測定信号を送信することができるため、セルの省エネ化に繋がり、ＵＥが測定信号に基づいてＲＲＭ測定を正確に行うことができるため、ＲＲＭ測定の精度を向上できる。
【０１７９】
＜実施例６＞
本発明の実施例は、実施例３に記載のセルの発見及び測定方法に対応するユーザ装置を提供し、実施例３と同じ内容について説明が省略される。
【０１８０】
図１２は本発明の実施例のユーザ装置の１つの構成を示す図である。図１２に示すように、ユーザ装置１２００は、発見信号受信部１２０１、発見情報報告部１２０２及び測定信号受信部１２０３を含み、ユーザ装置１２００の他の図示されていない構成部は従来技術を参照してもよい。
【０１８１】
発見信号受信部１２０１は、セル基地局により送信されたセルを発見するための発見信号を受信し、セル基地局との同期を実現する。発見情報報告部１２０２は、セルを発見するための発見情報をサービング基地局に報告する。測定信号受信部１２０３は、セル基地局により送信された測定信号を受信し、測定信号に基づいてセルを測定する。
【０１８２】
図１２に示すように、ユーザ装置１２００は、セルを測定するための測定報告をサービング基地局に送信する測定報告送信部１２０４、をさらに含んでもよい。
【０１８３】
以上は、単なるユーザ装置の構成部分を例示的に示している。なお、本発明はこれに限定されず、具体的に実施する際に適切に調整してもよい。例えば、１つ又は複数のオプションの構成部を省略してもよく、各部の間の信号接続は実際の状況に応じて適切に調整してもよい。
【０１８４】
上記の実施例によれば、基地局が発見信号及び測定信号をそれぞれ送信することで、発見信号の１回の送信時間をできるだけ短くし、２つの発見信号の送信の間の間隔をできるだけ長くし、必要な時にのみ測定信号を送信することができるため、セルの省エネ化に繋がり、ＵＥが測定信号に基づいてＲＲＭ測定を正確に行うことができるため、ＲＲＭ測定の精度を向上できる。
【０１８５】
＜実施例７＞
本発明の実施例は通信システムを提供し、該通信システムは実施例４に記載の基地局、実施例５に記載の基地局、及び実施例６に記載のユーザ装置を含む。
【０１８６】
図１３は本発明の実施例の通信システムの１つの構成を示す図である。図１３に示すように、通信システム１３００は、セル基地局１３０１、サービング基地局１３０２及びユーザ装置１３０３を含む。
【０１８７】
セル基地局１３０１は、ユーザ装置１３０３にセルを発見させるための発見信号を送信し、ユーザ装置１３０３にセル基地局１３０１との同期を実現させ、発見信号を送信した後に測定信号を送信する。
【０１８８】
サービング基地局１３０２は、ユーザ装置１３０３により報告されたセルを発見するための発見情報を受信し、好ましくは、ユーザ装置１３０３により送信されたセルを測定するための測定報告をさらに受信してもよい。
【０１８９】
ユーザ装置１３０３は、セル基地局１３０１により送信されたセルを発見するための発見信号を受信し、セル基地局１３０１との同期を実現し、セルを発見するための発見情報をサービング基地局１３０２に報告し、セル基地局１３０１により送信された測定信号を受信し、測定信号に基づいてセルを測定する。
【０１９０】
本発明の実施例は、基地局においてプログラムを実行する際に、コンピュータに、上記の実施例１又は２に記載のセルの発見及び測定方法を該基地局において実行させる、コンピュータ読み取り可能なプログラムをさらに提供する。
【０１９１】
本発明の実施例は、コンピュータに、上記の実施例１又は２に記載のセルの発見及び測定方法を基地局において実行させるためのコンピュータ読み取り可能なプログラムを記憶する、記憶媒体をさらに提供する。
【０１９２】
本発明の実施例は、ユーザ装置においてプログラムを実行する際に、コンピュータに、上記の実施例３に記載のセルの発見及び測定方法を該ユーザ装置において実行させる、コンピュータ読み取り可能なプログラムをさらに提供する。
【０１９３】
本発明の実施例は、コンピュータに、上記の実施例３に記載のセルの発見及び測定方法をユーザ装置において実行させるためのコンピュータ読み取り可能なプログラムを記憶する、記憶媒体をさらに提供する。
【０１９４】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１９５】
一つ以上の機能ブロックおよび/または添付の図面内の機能ブロックの一つ以上の組合せは、汎用プロセッサ、デジタル信号プロセッサ（ＤＳＰ）、特定用途向け集積回路（ＡＳＩＣ）、フィールド・プログラマブル・ゲートとして実現されてもよいアレイ（ＦＰＧＡ）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、ＤＳＰとマイクロプロセッサの組み合わせとして、コンピューティング機器の組み合わせとして通信ＤＳＰと組み合わせて、または任意の他のそのような構成における1つまたは複数のマイクロプロセッサ、複数のプロセッサを実現することができる。
【０１９６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016529803.tif 000003
【図２】
2016529803.tif 000004
【図３】
2016529803.tif 000005
【図４】
2016529803.tif 000006
【図５】
2016529803.tif 000007
【図６】
2016529803.tif 000008
【図７】
2016529803.tif 000009
【図８】
2016529803.tif 000010
【図９】
2016529803.tif 000011
【図１０】
2016529803.tif 000012
【図１１】
2016529803.tif 000013
【図１２】
2016529803.tif 000014
【図１３】
2016529803.tif 000015
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
基地局であって、
ユーザ装置にセルを発見させるための発見信号を送信し、前記ユーザ装置に前記基地局との同期を実現させる発見信号送信手段と、
前記発見信号を送信した後に測定信号を送信する測定信号送信手段と、を含む、基地局。
【請求項２】
前記セルは、独立した物理セル識別子を有する独立セル、又はセル群内の独立した物理セル識別子を有するセルであり、
前記発見信号は、ＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）、ＣＲＳ（Ｃｏｍｍｏｎ  Ｒｅｆｅｒｅｎｃｅ  Ｓｉｇｎａｌ）、ＣＳＩＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、ＰＲＳ（Ｐｏｓｉｔｉｏｎｉｎｇ  Ｒｅｆｅｒｅｎｃｅ  Ｓｉｇｎａｌ）及びＲｅｄｕｃｅｄ  ＣＲＳ（Ｒｅｄｕｃｅｄ  Ｃｏｍｍｏｎ  Ｒｅｆｅｒｅｎｃｅ  Ｓｉｇｎａｌ）の１つ又は組み合わせを含む、請求項１に記載の基地局。
【請求項３】
前記ＰＳＳ及び前記ＳＳＳは、０番目のサブフレーム又は５番目のサブフレームに設定され、
前記発見信号送信手段は、前記ＰＳＳ及び前記ＳＳＳを含む前記０番目のサブフレーム及び／又は前記５番目のサブフレームを送信する、請求項２に記載の基地局。
【請求項４】
前記ＰＳＳは１番目のサブフレーム又は６番目のサブフレームに設定され、前記ＳＳＳは０番目のサブフレーム又は５番目のサブフレームに設定され、
前記発見信号送信手段は、前記ＰＳＳ及び前記ＳＳＳを含む２つの隣接するサブフレーム又は２つの隣接するスロットを送信する、請求項２に記載の基地局。
【請求項５】
前記発見信号送信手段は、１つ若しくは２つのサブフレーム、又は２つの隣接するスロットを用いて前記発見信号を送信する、請求項１に記載の基地局。
【請求項６】
前記セルは、セル群内の独立した物理セル識別子を有しないセルであり、
前記発見信号は、前記セル群内のセル識別子に対応する２段目の発見信号を含み、或いは、前記セル群の独立した物理セル識別子に対応する１段目の発見信号及び前記セル群内のセル識別子に対応する２段目の発見信号を含む、請求項１に記載の基地局。
【請求項７】
前記基地局は前記発見信号の送信電力を増加させ、且つ／或いは
前記発見信号送信手段が前記発見信号を送信する時間領域リソースにおいて、他の基地局が信号を伝送することを回避し、或いは前記他の基地局が信号を伝送する電力を減少させるように、前記基地局は前記他の基地局と協調し、且つ／或いは
異なるセルの前記発見信号が異なる時点で送信されるように、前記基地局は他の基地局と協調する、請求項１に記載の基地局。
【請求項８】
前記測定信号は、前記セルが前記ユーザ装置にサービスを提供する時の送信電力で送信され、
前記測定信号の１回の送信時間長は、前記発見信号の１回の送信時間長以上である、請求項１に記載の基地局。
【請求項９】
前記測定信号送信手段は、前記発見信号送信手段が前記発見信号を送信した後、所定時間後に前記測定信号を送信し、或いは
前記測定信号送信手段は、前記発見信号送信手段が前記発見信号を送信した後、他のセルの要求又は制御装置の指示を受信した場合に前記測定信号を送信する、請求項１に記載の基地局。
【請求項１０】
前記測定信号は、ＣＲＳ、ＣＳＩＲＳ、ＰＲＳ及びＲｅｄｕｃｅｄ  ＣＲＳの１つ又は組み合わせを含む、請求項１に記載の基地局。
【請求項１１】
制御装置の指示又は他の基地局により送信されたアクティブ化メッセージを受信した後に、前記セルを休止モードからアクティブモードに切り替える状態切替手段、をさらに含む、請求項１に記載の基地局。
【請求項１２】
基地局であって、
ユーザ装置により報告されたセルを発見するための発見情報を受信する発見情報受信手段、を含む、基地局。
【請求項１３】
前記ユーザ装置により送信された前記セルを測定するための測定報告を受信する測定報告受信手段、をさらに含む、請求項１２に記載の基地局。
【請求項１４】
前記ユーザ装置を構成して前記セルを発見する発見構成手段、をさらに含む、請求項１２に記載の基地局。
【請求項１５】
前記セルの基地局又は制御装置に通知メッセージを送信して、前記セルが測定信号を送信するように通知する通知メッセージ送信手段、をさらに含む、請求項１２に記載の基地局。
【請求項１６】
前記セルにより送信された測定信号の測定情報を取得する測定情報取得手段と、
前記ユーザ装置が前記セルにより送信された前記測定信号を測定するように、前記測定情報に基づいて前記ユーザ装置を構成する測定構成手段と、をさらに含む、請求項１２に記載の基地局。
【請求項１７】
前記セルの基地局又は制御装置にアクティブ化メッセージを送信して、前記セルをアクティブ化するアクティブ化メッセージ送信手段、をさらに含む、請求項１２に記載の基地局。
【請求項１８】
ユーザ装置であって、
セル基地局により送信されたセルを発見するための発見信号を受信し、前記セル基地局との同期を実現する発見信号受信手段と、
前記セルを発見するための発見情報をサービング基地局に報告する発見情報報告手段と、
前記セル基地局により送信された測定信号を受信し、前記測定信号に基づいて前記セルを測定する測定信号受信手段と、を含む、ユーザ装置。
【請求項１９】
前記セルを測定するための測定報告を前記サービング基地局に送信する測定報告送信手段、をさらに含む、請求項１８に記載のユーザ装置。
【請求項２０】
通信システムであって、
ユーザ装置にセルを発見させるための発見信号を送信し、前記ユーザ装置にセル基地局との同期を実現させ、前記発見信号を送信した後に測定信号を送信するセル基地局と、
ユーザ装置により報告された前記セルを発見するための発見情報を受信するサービング基地局と、
前記セル基地局により送信された前記セルを発見するための発見信号を受信し、前記セル基地局との同期を実現し、前記セルを発見するための発見情報を前記サービング基地局に報告し、前記セル基地局により送信された測定信号を受信し、前記測定信号に基づいて前記セルを測定するユーザ装置と、を含む、通信システム。
【手続補正２】
【補正対象書類名】明細書
【補正対象項目名】００６７
【補正方法】変更
【補正の内容】
【００６７】
干渉協調又は干渉回避の方法を採用し、且つＵＥ側に事前情報（例えば、該発見信号の受ける干渉のレベルが測定信号の受ける干渉のレベルに相当する）がある場合に、ＵＥは該信号を用いてＲＲＭ測定を行ってもよく、そうでない場合に、ＵＥは該信号を用いてＲＳＲＰ（ｒｅｆｅｒｅｎｃｅ  ｓｉｇｎａｌ  ｒｅｃｅｉｖｅｄ  ｐｏｗｅｒ）測定のみを行い、該信号を用いてＲＳＳＩ及びＲＳＲＱの測定を行わなくてもよい。
【手続補正３】
【補正対象書類名】明細書
【補正対象項目名】００６８
【補正方法】変更
【補正の内容】
【００６８】
上記の送信電力を増加させる方法、及び上記の干渉協調又は干渉回避の方法を同時に採用し、且つＵＥ側に事前情報（例えば、発見信号の送信電力の測定信号の送信電力を超える比率が既知であり、該発見信号の受ける干渉のレベルが測定信号の受ける干渉のレベルに相当する）がある場合に、ＵＥは該信号を用いてＲＲＭ測定を行ってもよい。ＵＥ側に事前情報（例えば、発見信号の送信電力の測定信号の送信電力を超えた比率が既知である）がある場合に、ＵＥは該信号を用いてＲＳＲＰ測定を行ってもよい。上記の事前情報は、ＵＥによりサービングされたセルにより、ＲＲＣ（ｒａｄｉｏ  ｒｅｓｏｕｒｃｅ  ｃｏｎｔｒｏｌ）シグナリングを介してＵＥのために構成されてもよい。
【国際調査報告】
2016529803.tif 000016
2016529803.tif 000017
2016529803.tif 000018
2016529803.tif 000019